(57)【要約】【課題】  パチンコホールは、それぞれの遊戯機（パチンコ台）やホール自身の宣伝ばかりでなく、全体をにぎやかにするため、また玉が多数出ているような雰囲気にするため、各所に宣伝用のプレートや旗、幟を設けている。本発明では、この宣伝用プレート等を簡単に交換でき、且つ安全で従来と変わらない宣伝効果を有するものを提供する。【解決手段】  パチンコ遊戯機の上方に位置する広告媒体であって、固定具と広告体との組み合わせで構成されるものにおいて、該固定具は、パチンコ遊戯機の上部に固定する固定部と挟持部とからなり、該挟持部は２枚の板状体が一定間隔を持って設けられ、該２枚の板状体の中間部には抵抗部が設けられ、該広告体は、広告宣伝用の文字や模様が描かれたものであって、少なくとも下方が板状部であり、その板状部に前記抵抗部が嵌る切り欠き部を設けたもの。【選択図】  図1
2008183084.tif 000002
【特許請求の範囲】
【請求項１】
パチンコ遊戯機の上方に位置する広告媒体であって、固定具と広告体との組み合わせで構成されるものにおいて、
該固定具は、パチンコ遊戯機の上部に固定する固定部と挟持部とからなり、該挟持部は２枚の板状体が一定間隔を持って設けられ、該２枚の板状体の中間部には抵抗部が設けられ、
該広告体は、広告宣伝用の文字や模様が描かれたものであって、少なくとも下方が板状部であり、その板状部に前記抵抗部が嵌る切り欠き部を設けたことを特徴とするパチンコ遊戯機用の広告媒体。
【発明の詳細な説明】
【技術分野】
【０００１】
本発明は、パチンコ遊戯機用の広告媒体に関するものである。
【背景技術】
【０００２】
ここでいうパチンコ遊戯機用の広告媒体は、パチンコ遊戯機に設けて宣伝するもので、その宣伝内容はそのパチンコ遊戯機に関するものでも、そのパチンコホールに関するものでも、他のものでもよい。
【０００３】
パチンコホールは、それぞれの遊戯機（パチンコ台）やホール自身の宣伝ばかりでなく、全体をにぎやかにするため、また玉が多数出ているような雰囲気にするため、各所に宣伝用のプレートや旗、幟を設けている。
【０００４】
このような宣伝用のプレート等は非常に多いため、パチンコ台が並んでいるエリア（島と呼ばれている）の上方に固定して、通路に突出させる方式のものが多くなる。即ち、人が通る上に宣伝用プレートがあるような感じである。
【０００５】
このようなタイプは人の通行の邪魔にもならず、よく目立つため非常に好まれている。
【０００６】
しかしながら、パチンコ台上で固定し、そこから突出しているため、モーメントがかかるため、プレートが発泡スチロールのような軽量物であっても、根本の固定部には大きな力がかかる。
よって、従来は複数のネジで一回ごとに固定していた。
【０００７】
更に、最近の流行の変化の速さから、このような宣伝用のプレートは頻繁に交換するようになってきている。
【発明の開示】
【発明が解決しようとする課題】
【０００８】
そこで、本発明では、この宣伝用プレート等を簡単に交換でき、且つ安全で従来と変わらない宣伝効果を有するものを提供する。
【課題を解決するための手段】
【０００９】
以上のような状況に鑑み、本発明者は鋭意研究の結果本発明パチンコ遊戯機用の広告媒体を完成したものであり、その特徴とするところは、パチンコ遊戯機の上方に位置する広告媒体であって、固定具と広告体との組み合わせで構成されるものにおいて、該固定具は、パチンコ遊戯機の上部に固定する固定部と挟持部とからなり、該挟持部は２枚の板状体が一定間隔を持って設けられ、該２枚の板状体の中間部には抵抗部が設けられ、該広告体は、広告宣伝用の文字や模様が描かれたものであって、少なくとも下方が板状部であり、その板状部に前記抵抗部が嵌る切り欠き部を設けた点にある。
【００１０】
ここで、パチンコ遊戯機とはいわゆるパチンコ台をいい、ここではスロットやパチスロと呼ばれるものも含む。上方とは単に台の上方部分に固定するという意味であり、厳密に全体がパチンコ遊戯機の上に存在するという意味ではない。
【００１１】
固定具とは、後述する広告体を固定するためのもので、これ自身もパチンコ遊戯機の上部に固定するものである。ここでいうパチンコ遊戯機の上部とは、パチンコ台そのものだけに限らず、台のカバーや上部の板等もすべて含む。
この固定具は、パチンコ遊戯機の上部に固定する固定部と挟持部とからなる。固定部とは、上記パチンコ遊戯機の上部に固定する部分であり、水平状の板に固定用の貫通孔を設けたものである。この貫通孔を利用してりパチンコ遊戯機の上部に木ネジで固定したり、ボルト、ナットで固定する等通常の方法で固定するものである。
【００１２】
挟持部とは、２枚の板状体が一定間隔を持って設けられ、その２枚の板状体の中間部には抵抗部が設けられたものである。この２枚の板状体が構成する空間に後述する広告体が挿入される。
抵抗部の数は１つでも複数でもよく、その形状の自由である。この抵抗部は広告体の切欠部に嵌るものである。
【００１３】
この固定具の材質はプラスチック、金属、木製等自由であるが、ラスチック製が製造面で好適である。また、挟持部は透明が好ましい。大きさとしては、限定するものではないが、５×１０ｃｍ〜２０×４０ｃｍ程度がよい。
【００１４】
広告体は、該広告体は、広告宣伝用の文字や模様が描かれたものであって、少なくとも下方が板状部であり、その板状部に前記抵抗部が嵌る切り欠き部を設けたものである。
広告宣伝用の文字や模様とは、単にパチンコ台に使用しているキャラクターを描いただけのもので、広告宣伝とは言えないようなものも含む。前記した通り、台の宣伝だけに限らず、その店の宣伝、その他単なる雰囲気を考えた風景のようなもの等すべて含む。
【００１５】
この広告体は、少なくともその下方は板状部となっている。これは、前記した固定具の挟持部に挿入できるようにするためである。よって、この部分以外は板状でなく、もっと膨張したものや旗状のものその他どのようなものでもよい。
【００１６】
広告体の全体の形状も自由である。材質も自由である。しかし、その軽量性等からプラスチック発泡体（発泡スチロール等）が好適である。
【００１７】
本発明の使用法は、まず固定具をパチンコ台等の上部の板等にネジ等で固定する。ついで、それに適合する広告体をその切欠きが抵抗部に嵌るように挿入するだけである。広告体を交換するときは、ネジ回しその他の工具はまったく不要で古い広告体を抜いて、新しいものを挿入するだけである。
【発明の効果】
【００１８】
本発明パチンコ遊戯機用の広告媒体には次のような大きな利点がある。
（１）  取り付け、取り外しが非常に簡単である。
（２）  広告体の交換に道具を要しない。
【発明を実施するための最良の形態】
【００１９】
以下図面に示す実施の形態に基づいて、本発明をより詳細に説明する。
図１は、本発明パチンコ遊戯機用の広告媒体の固定具１を示す。固定部２と挟持部３からなる。該固定部２には左右両方に２つづつ貫通孔４が設けられている。挟持部３は、２枚の板状部からなり、一定間隔をもって固定部２に固定されている。また、２枚の板状部の間には、抵抗部５が設けられている。
【００２０】
この例では、全体が透明プラスチック製であり、一体成形でも接着方式でもよい。サイズとしては、底板が１０ｃｍ×２０ｃｍである。
【００２１】
図２は、図１の固定具１に広告体６を図１の矢印Ａの方向から挿入した図であり、固定具１よりも左上方に大きく伸びていることがわかる。
この例では、広告体６の荷重により、矢印Ｂの方向に回転モーメントがかかっている。これを抵抗部５が支えているのである。この抵抗部５が存在するため、広告体６が矢印Ｂの方向に落下することはない。また、手で取り外すときのように矢印Ｃの方向には力がかからないため、自然に落下することはない。
【００２２】
図３は、固定具１の他の例を示すものである。（ａ）は、抵抗部５が２つ設けられている例であり、（ｂ）は抵抗部５が円柱形のものを２つにしたものである。
【００２３】
図４は、固定具１は図１と同様であるが、広告体６が異なるものである。この例の広告体６は、板状部に旗７が固着されたものである。この板状部と旗との固定方法は自由であるが、差込方式でもよい。
【図面の簡単な説明】
【００２４】
【図１】本発明パチンコ遊戯機用の広告媒体の固定具の例を示す斜視図である。
【図２】図１の固定具１に広告体６を図１の矢印Ａの方向から挿入した概略断面図である。
【図３】固定具１の他の例を示す概略断面図である。
【図４】図２と同様の図であるが、広告体６が異なるものである。
【符号の説明】
【００２５】
１  固定具
２  固定部
３  挟持部
４  貫通孔
５  抵抗部
６  広告体
７  旗
【図１】
2008183084.tif 000003
【図２】
2008183084.tif 000004
【図３】
2008183084.tif 000005
【図４】
2008183084.tif 000006